(57)【要約】【課題】  複数の通信キャリアの携帯電話機で情報を適正に取得するための２次元コードをプリントする。【解決手段】  携帯電話機のカメラで撮影することにより、携帯電話機のアドレス帳に登録できる２次元コードをプリントするプリントシステムであり、入力手段３１を介して入力された名前等の名称情報と、住所や電話番号等の連絡先情報とを、複数の通信キャリアの携帯電話機で識別し得るフォーマットの文書情報に変換手段３２が変換し、この文書情報からコード生成手段３３が２次元コードを生成し、この２次元コードと名称情報と連絡先情報とをプリント部Ｂでプリントする。【選択図】        図３
2005231287.tif 000002
【特許請求の範囲】
【請求項１】
入力された情報から２次元コードを生成する情報処理部と、この情報処理部で生成された２次元コードのイメージをプリント媒体にプリントするプリント部とを備えているプリントシステムであって、
前記情報処理部が、少なくとも名称情報と、連絡先情報との項目に入力された情報を、夫々項目を識別し得る構造の文書情報に変換する変換手段と、この変換手段で変換された文書情報から前記２次元コードを生成するコード生成手段とを備えて構成され、
前記変換手段は、２次元コードの撮影画像から少なくとも前記名称情報と、連絡先情報とを異なるフォーマットで取得する複数の通信キャリアの携帯電話機に対応した複数種類の構造の文書情報を生成するよう構成されているプリントシステム。
【請求項２】
前記複数の通信キャリアの携帯電話機として、２次元コードの撮影画像から取得した文書情報に含まれる識別情報から前記名称情報と連絡先情報とを抽出するものにおいて、この識別情報の構造が通信キャリア毎に異なるものを対象としており、前記変換手段は、複数の通信キャリアの携帯電話機夫々に対応した構造となる識別情報を生成するように構成されている請求項１記載のプリントシステム。
【請求項３】
前記情報処理部が、少なくとも前記名称情報と連絡先情報との入力部をディスプレイに表示すると共に、このディスプレイに対して前記複数の通信キャリアを指定するキャリア情報の入力部を表示し、かつ、夫々の入力部に対して入力された情報から変換すべき情報を取得するインタフェースを備え、取得した前記名称情報と連絡先情報とを前記キャリア情報に対応した構造の文書情報に変換するように構成されている請求項１又は２記載のプリントシステム。
【請求項４】
前記名称情報と連絡先情報との文字イメージ、及び、前記情報処理部で生成された２次元コードのイメージとを設定された位置関係に配置するレイアウト処理手段を備えると共に、前記２次元コードが何れの通信キャリアに対応するものであるかを示す情報を前記２次元コードに付与する付与手段を備えている請求項１〜３のいずれか１項に記載のプリントシステム。
【請求項５】
前記付与手段が、イメージ化された２次元コードの近傍に通信キャリアを示す情報をプリントする、又は、イメージ化された２次元コードを通信キャリアに対応した色相でプリントするよう処理形態を設定してある請求項４記載のプリントシステム。
【発明の詳細な説明】
【技術分野】
【０００１】
本発明は、入力された情報から２次元コードを生成する情報処理部と、この情報処理部で生成された２次元コードのイメージをプリント媒体にプリントするプリント部とを備えているプリントシステムに関する。
【背景技術】
【０００２】
上記のように構成されたプリントシステムと関連する技術として、特許文献１に記載されるものが存在する。この特許文献１では、コンピュータと印刷手段とで印刷システムが構成され、コンピュータには暗号化手段と２次元バーコード変換手段とを有しており、印刷手段は印刷データを印刷するプリンタで構成されている。この印刷システムでは、入力された情報を暗号化手段が暗号化し、このように暗号化された情報を２次元バーコード変換手段が２次元バーコード（本発明の２次元コード）の画像データに変換し、この画像データと印字情報とをレイアウト情報に基づいた配置で印刷手段が紙面に印刷するよう処理形態が設定されている。
【０００３】
この特許文献１では、印刷された２次元バーコードの暗号情報を読み取り手段で読み取った後に復号し、このように復号された情報と、印刷された印字情報とが一致することによって、その印刷物の真贋の判定を行うよう構成されたものである。
【０００４】
【特許文献１】特開２００３−４４２５７号公報  （段落番号〔００１５〕〜〔００３４〕、図１、図２）
【発明の開示】
【発明が解決しようとする課題】
【０００５】
カメラ付き携帯電話機では２次元コードを読み取る機能を具備し、２次元コードで読み取った情報から名前、電話番号等の情報を抽出し、その携帯電話機のアドレス帳に登録できるものも存在する。そこで、このような機能を利用して、名刺や転居案内のハガキ等に名前や住所の情報を２次元コード化して印刷する有効性を見いだすことができる。つまり、名刺や転居案内のハガキ等に対して名前や住所の情報を２次元コード化して印刷した場合には、その名刺や転居案内のハガキなどを受け取った者が、人為的に名前や電話番号等の情報を入力しなくとも、携帯電話機のアドレス帳に名前や住所を登録する場合には２次元コードを携帯電話機のカメラで撮影するだけで済ませられるのである。
【０００６】
また、このように２次元コードから名前と電話番号等とを抽出してアドレス帳に登録できる携帯電話機は、２次元コードから読み取った文書情報のフォーマットから名前、電話番号等の情報を抽出する処理形態となるものの、このフォーマットが通信キャリア毎に異なっている。従って、夫々の通信キャリアでアドレス帳に登録可能な２次元コードは異なるイメージとなり、このように通信キャリアに対応した２次元コードを生成するためには、通信キャリアに対応したフォーマットの文書情報を生成することが必要となっている。しかしながら、通信キャリアに対応したフォーマットの文書情報を生成するには手間が掛かかるものであり改善の余地があった。
【０００７】
本発明の目的は、複数の通信キャリアの携帯電話機に対応して、その通信キャリアの携帯電話機で情報を適正に取得する２次元コードを生成可能なプリントシステムを合理的に構成する点にある。
【課題を解決するための手段】
【０００８】
本発明の特徴は、入力された情報から２次元コードを生成する情報処理部と、この情報処理部で生成された２次元コードのイメージをプリント媒体にプリントするプリント部とを備えているプリントシステムにおいて、前記情報処理部が、少なくとも名称情報と、連絡先情報との項目に入力された情報を、夫々項目を識別し得る構造の文書情報に変換する変換手段と、この変換手段で変換された文書情報から前記２次元コードを生成するコード生成手段とを備えて構成され、前記変換手段は、２次元コードの撮影画像から少なくとも前記名称情報と、連絡先情報とを異なるフォーマットで取得する複数の通信キャリアの携帯電話機に対応した複数種類の構造の文書情報を生成するよう構成した点にある。
【０００９】
この構成により、変換手段は入力された情報を複数の通信キャリアの携帯電話機に対応したフォーマットの文書情報に変換し、この文書情報からコード生成手段が２次元コードを生成し、このよう生成された２次元コードをプリント部がプリント媒体にプリントするものとなる。その結果、通信キャリアを予め設定して２次元コードを生成することにより、この２次元コードから少なくとも名称情報と連絡情報とを、その通信キャリアの携帯電話機で取得できるものとなった。尚、名称情報とは、個人の場合には名前であり、法人や組織の場合にはその名称等である。また、連絡先情報とは個人の場合には住所や電話番号や電子メールのアドレス等であり、会社や組織の場合には所在地や電話番号や電子メールのアドレス等である。
【００１０】
本発明は、前記複数の通信キャリアの携帯電話機として、２次元コードの撮影画像から取得した文書情報に含まれる識別情報から前記名称情報と連絡先情報とを抽出するものにおいて、この識別情報の構造が通信キャリア毎に異なるものを対象としており、前記変換手段は、複数の通信キャリアの携帯電話機夫々に対応した構造となる識別情報を生成するように構成しても良い。
【００１１】
この構成により、変換手段が通信キャリアに対応した適正な識別情報を含む文書情報を生成することになるので、名称情報や連絡先情報を入力するだけで複数の通信キャリアに対応した識別情報を含む文書情報を自動的に生成するものとなり、識別情報を人為的に入力する手間を省けるものとなる。
【００１２】
本発明は、前記情報処理部が、少なくとも前記名称情報と連絡先情報との入力部をディスプレイに表示すると共に、このディスプレイに対して前記複数の通信キャリアを指定するキャリア情報の入力部を表示し、かつ、夫々の入力部に対して入力された情報から変換すべき情報を取得するインタフェースを備え、取得した前記名称情報と連絡先情報とを前記キャリア情報に対応した構造の文書情報に変換するように構成しても良い。
【００１３】
この構成により、ディスプレイに表示された入力部に対して名称情報と連絡先情報とを入力し、キャリア情報を入力することにより、このように入力された情報に基づいて、情報処理部がキャリア情報に対応した構造の文書情報に変換するものとなり、ディスプレイで入力された情報を確認しながら誤りのない入力が実現する。
【００１４】
本発明は、前記名称情報と連絡先情報との文字イメージ、及び、前記情報処理部で生成された２次元コードのイメージとを設定された位置関係に配置するレイアウト処理手段を備えると共に、前記２次元コードが何れの通信キャリアに対応するものであるかを示す情報を前記２次元コードに付与する付与手段を備えても良い。
【００１５】
この構成により、レイアウト処理手段によって文字イメージと２次元コードのイメージとが設定された位置関係に配置されるので、人為的にレイアウトを設定する手間が省けるばかりでなく、付与手段によって付与された情報に基づいて、その２次元コードが、何れの通信キャリアに対応したものかを判別できるので、携帯電話機で２次元コードから情報を取得する際に誤りがない。
【００１６】
本発明は、前記付与手段として、イメージ化された２次元コードの近傍に通信キャリアを示す情報をプリントする、又は、イメージ化された２次元コードを通信キャリアに対応した色相でプリントするよう処理形態を設定しても良い。
【００１７】
この構成により、２次元コードの近傍に配置された情報、又は、２次元コードの色相に基づいて視覚的に何れの通信キャリアに対応するものであるかを判別し、情報を取得する際に誤りがないものとなる。
【発明を実施するための最良の形態】
【００１８】
以下、本発明の実施形態を図面に基づいて説明する。
〔全体構成〕図１に示すように、現像済みの写真フィルムＦの画像情報のデジタル信号化処理を行い、デジタル信号化された画像情報の処理を行い、システム全体の基本的な制御を行うオペレート部Ａを備えると共に、プリント媒体としての銀塩式のカラー印画紙Ｐ（以下、印画紙Ｐと略称する）に対して露光処理と現像処理とを行い、かつ、乾燥処理を行った後に送り出すプリント機構としてのプリント部Ｂを備えてデジタルミニラボと称せられるプリント装置（プリントシステムの一例）が構成されている。
【００１９】
〔オペレート部〕前記オペレート部Ａは、デスク部１に対して写真フィルムＦのコマ画像を光電変換してデジタル信号化された画像情報として取り込むフィルムスキャナ２と、各種情報を表示するディスプレイ３と、画像処理と各種処理とを実現するための汎用コンピュータで成る処理装置４とを配置し、デスク部１の上面に情報を入力するためのキーボード５と、マウス６とを備えている。前記処理装置４は、その上部にＣＤやＭＯやＦＤ等のディスク型の記憶媒体からの情報を取得する、あるいは、半導体型の記憶媒体からの情報を取得するよう記憶媒体の構造に対応したメディアドライブ７を備え、その内部に情報を保存する半導体メモリやハードディスク等（図３を参照）を備えている。
【００２０】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）三原色に色分解して取り込むラインＣＣＤ型の光電変換部を備えている。そして、スキャニングを行う場合には、写真フィルムＦのサイズに適合したフィルムキャリア８を光源部の上面に装着して、写真フィルムＦを副走査方向（長手方向）に搬送する作動と同期して光電変換部において写真フィルムＦの画像情報を主走査方向に沿ってデジタル信号化して取り込む処理が行われる。
【００２１】
〔プリント部〕前記プリント部Ｂは、図１に示すように、印画紙Ｐに対して露光を行う露光ブロックＥｘと、露光された印画紙Ｐの現像処理を行う現像ブロックＤｅと、現像処理後の印画紙Ｐを乾燥する乾燥ブロックＤｒとを筐体１０に収納して成ると共に、筐体１０の外部には処理の後に筐体１０の上部から水平方向に送り出される印画紙Ｐを搬送する搬送ベルト１１を備え、この搬送ベルト１１から送られる印画紙Ｐをオーダ単位で仕分けて集積するよう複数のトレー１２を有したソータ１３を備え、更に、搬送ベルト１１の下方位置には大きいサイズの印画紙Ｐを受け止めるラック１４を備えている。
【００２２】
前記露光ブロックＥｘは、Ｒ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する形態で露光位置の印画紙Ｐに対して送り出すレーザ走査型のものを使用しているが、ＰＬＺＴ方式蛍光ビーム方式、液晶シャッター方式、ＤＭＤ方式又はＦＯＣＲＴ等の使用が可能である。
【００２３】
本発明のプリント装置では、名刺や転居案内のハガキ等をプリントする際に、企業名や個人の名前等の名称情報と、所在地や住所や電話番号等の連絡先情報等を入力することにより、入力された情報を文字イメージとしてプリントするとともに、その情報を２次元コードのイメージに変換してプリントする処理を実現するものである。２次元コードＱＲは、コードリーダで読み取ることが可能であるが、本発明のプリント装置では、図２に示す如く、カメラＣａｍを備えた携帯電話機Ｈで撮影した場合に、２次元コードＱＲから取得した名称情報と連絡先情報とを、その携帯電話機Ｈのアドレス帳に登録できる機能を有した携帯電話機Ｈを対象とした２次元コードをプリントするものである。
【００２４】
特に、本発明のプリント装置では、複数の通信キャリアの携帯電話機Ｈを考えた場合に、複数の通信キャリアの携帯電話機Ｈ毎にアドレス帳に登録するために必要とする情報のフォーマットが異なるため、このフォーマットが異なる複数の通信キャリアの携帯電話機Ｈに対応した２次元コードＱＲをプリントできるように構成され、その制御のための構成、及び、制御形態を以下に説明する。尚、図２では２種の通信キャリアに対応した２つの２次元コードＱＲをプリントした名刺を示しているが、携帯電話機ＨのカメラＣａｍで撮影する際には、通信キャリアに対応した一方の２次元コードＱＲを撮影することになる。
【００２５】
〔制御系〕図３に示すように前記処理装置４の制御系が構成されている。つまり、マイクロプロセッサＣＰＵのデータバスに対して半導体メモリＲＡＭ／ＲＯＭ、ハードディスクＨＤ、前記メディアドライブ７夫々を接続し、更に、前記データバスに対して前記フィルムスキャナ２、前記ディスプレイ３、キーボード５、マウス６、及び、前記プリント部Ｂと間で情報のアクセスを行う通信インタフェース２１を接続している。また、この処理装置４では、ディスプレイ３に表示された情報に従って各種の処理を前記キーボード５やマウス６の操作により実現するよう、ソフトウエアで成るオペレーティングシステム２２、プリント処理手段２３、補正手段２４、情報処理部Ｃ、レイアウト処理手段２５、プロパティ名編集手段２６夫々が前記データバスを介してＣＰＵに対して情報のアクセスが可能に接続されている。尚、メディアドライブ７やフィルムスキャナ２等の機器は情報のアクセスを実現するインタフェース類を介してデータバスに接続するものであり、また、制御を実現するためにコントロールバスやアドレスバスを必要とするものであるが、複雑化を避ける目的から図面にはインタフェース類やバス類を示していない。
【００２６】
前記オペレーティングシステム２２は、半導体メモリＲＡＭに作業領域を確保してソフトウエアの基本的な処理を実現すると共に、処理状態を前記ディスプレイ３に表示した状態においてキーボード５やマウス６等からの操作により各種の処理を実現するインタフェースとして機能するものであり、前記プリント処理手段２３はオーダ情報に基づいてプリント対象に設定された画像情報のプリントを実現し、前記補正手段２４はディスプレイ３に対して画像情報のイメージを表示した状態で色調やコントラスト等の補正処理を実現するものである。
【００２７】
また、前記情報処理部Ｃは、ディスプレイ３に情報入力画面Ｗ２（図６を参照）を表示した状態で必要とする情報の入力を許容する入力手段３１と、この入力手段３１を介して入力された情報を指定された通信キャリアの携帯電話機Ｈに対応したフォーマットの文書情報に変換する変換手段３２と、この文書情報から２次元コードのイメージを生成するコード生成手段３３と、生成された２次元コードが対応する通信キャリアを認識させる情報を付与する付与手段３４とで構成されている。
【００２８】
尚、前記オペレーティングシステム２２と、オーダ情報に基づいてプリント処理を実行するプリント処理手段２３と、ディスプレイ３に対して画像情報を表示した状態で補正を実現する補正手段２４と、情報処理部Ｃとはソフトウエアだけで構成せず、ハードウエアで構成することや、ハードウエアとの組み合わせで構成することが可能である。
【００２９】
このプリント装置において名刺をプリントする際の処理形態の概要を図４のフローチャートのように示すことが可能である。つまり、名刺をプリントする際には、ディスプレイ３に表示されたレイアウトサンプル画面Ｗ１（図５を参照）から任意にレイアウトを選択し、この選択の後に、ディスプレイ３に表示される名刺プリント用の情報入力画面Ｗ２（図６を参照）に必要とする情報を入力し、この後、ディスプレイ３に表示される顔画編集画面Ｗ３（図７を参照）を介して顔画像ＦＰを取得する（＃０１〜＃０３ステップ）処理を実行する。また、レイアウトを選択し、情報を入力し、顔画像ＦＰを取得する処理は前記入力手段３１が実現する。
【００３０】
図５に示すように前記レイアウトサンプル画面Ｗ１は、複数の分割表示部に対して名刺サイズの印画紙Ｐに対してプリントされる文字情報Ｔのイメージと、顔画像ＦＰのイメージと、２次元コードＱＲのイメージとの位置関係が予め設定された複数種のものを表示しており、このように表示された複数のレイアウトサンプルのうちの１つを、マウス６等で選択した後、マウス６等のボタンをクリックしてアクティブ状態にする等の選択操作の後、画面中の「ＯＫ」ボタンＢ１を操作することにより選択が完了するものであり、また、キャンセルボタンＢ２を操作することにより処理がキャンセルされる。
【００３１】
図６に示すように前記情報入力画面Ｗ２は、情報処理部Ｃによってディスプレイ３に表示されるものであり、画面中に表示された入力部Ｓ（フィールド）に対して情報を入力することによって情報処理部Ｃが必要する情報を取得するＧＵＩ型のインタフェースとして機能するものである。具体的には、名称情報としての会社名、及び、連絡先情報として会社所在地、郵便番号、電話番号、ＦＡＸ番号、メールアドレス（電子メール）の他に、名称情報としての個人の名前、その他の情報としての役職・所属の複数の入力部Ｓ（フィールド）が形成され、夫々の入力部Ｓ（フィールド）に対してカーソルをセットした状態でキーボード５から文字情報を入力できるように構成されている。この画面中には２次元コードのプリントの要否のチェック部３５、通信キャリアを指定する複数のチェック部３６（通信キャリアを指定する入力部の一例）が表示され、必要な情報の入力の後、画面中の「ＯＫ」ボタンＢ１を操作することにより入力が完了し、キャンセルボタンＢ２を操作することにより入力がキャンセルされる。尚、通信キャリアを特定する複数のチェック部３６のうち複数のチェック部３６にチェックを行った場合には複数の２次元コードＱＲがプリントされる。
【００３２】
図７に示すように前記顔画編集画面Ｗ３は、前記フィルムスキャナ２あるいは前記メディアドライブ７から取得された画像情報を画面中の顔表示部３８に表示した状態で、サイズ設定部３９のトリミングボタンを選択して不要な画像を削除することや、拡大ボタンを操作して画像を拡大することや、縮小ボタンを操作して画像を縮小する等の処理を行えると共に、カラーバランス設定部４０でのカラーバランスの設定、明るさ・コントラスト設定部４１での明るさやコントラストの設定、彩度・明度設定部４２での彩度や明度の設定等の処理を行えるよう構成され、必要な処理を終了した場合には、画面中の「ＯＫ」ボタンＢ１を操作することにより処理が完了し、戻るボタンＢ３を操作することにより直前の処理に戻ることが可能となる。
【００３３】
このように名刺を作成するために必要な情報の入力が完了した後には、情報入力画面Ｗ２で入力された情報を通信キャリアに対応したフォーマットの文書情報に変換した後、この文書情報から２次元コードＱＲを生成し、この２次元コードＱＲの近傍位置に通信キャリアを示す社名を付加し、更に、レイアウトサンプル画面Ｗ１で選択されたレイアウトに従って文字情報Ｔのイメージと、顔画像ＦＰのイメージと、２次元コードＱＲのイメージと、付与手段３４で生成された通信キャリアを示すキャリア情報４５のイメージとがプリントイメージ画面Ｗ４（図８を参照）に表示される（＃０４〜＃０６ルーチン）。
【００３４】
前述のように、情報入力画面Ｗ２で入力された情報を通信キャリアに対応したフォーマットの文書情報に変換する処理は変換手段３２が実現するものである。また、通信キャリアとしてのＡ社の携帯電話機Ｈと、通信キャリアとしてのＢ社の携帯電話機Ｈとを比較した場合、複数のフィールドの情報を識別するために付加される識別情報が異なるため、夫々の通信キャリアに対応した２次元コードＱＲを生成するためには、異なる識別情報を付加したフォーマットの文書情報を生成する必要がある。このような理由から、通信キャリアとしてのＡ社の携帯電話機Ｈと、通信キャリアとしてのＢ社の携帯電話機Ｈとでは、異なるフォーマットの文書情報に変換した後に２次元コードＱＲを生成しているのである。具体的には図１０に示すように、名前、読み仮名、電話（ＴＥＬ）、電子メールアドレス夫々を識別するために付加されている識別情報が異なり、各情報の末尾に；（セミコロン）を付加するものと、付加しない点において文書情報のフォーマットが異なり、当然のことながら生成された２次元コードＱＲのイメージも異なるものとなる。
【００３５】
また、名刺に対して情報入力画面Ｗ２で入力された全ての情報が文字イメージとしてプリントされるものの、変換手段３２で変換を行う際には携帯電話機Ｈで取得可能な情報だけを抽出し、このように抽出した情報から通信キャリアの携帯電話機Ｈに対応した２次元コードＱＲを生成し、そのイメージがプリントされる。
【００３６】
尚、本発明では、前記携帯電話機Ｈによって、２次元コードとしてＱＲコードのコード情報を取得することを想定したものであるが、データ・マトリクス形式やＰＤＦ４１７形式のように２次元的にコードデータを配置した構造の２次元コードを利用するよう構成しても良い。
【００３７】
また、プリントイメージ画面Ｗ４は図８に示すように、印画紙Ｐにプリントされるイメージとして、文字情報Ｔのイメージと、顔画像ＦＰのイメージと、２次元コードＱＲのイメージと、２次元コードＱＲが何れの通信キャリアに対応することを示すキャリア情報４５とが表示されるものである。また、このプリントイメージ画面Ｗ４では、２社の通信キャリアに対応して２つの２次元コードＱＲをプリントしたものを示している。
【００３８】
このプリントイメージ画面Ｗ４では、文字情報Ｔのイメージと、顔画像ＦＰのイメージと、２次元コードＱＲのイメージと、キャリア情報４５との何れもドラッグする形態でレイアウトの変更が可能であり、更に、文字情報Ｔのイメージの位置にカーソルをセットしてキーボード５からの文字情報を付加することや、文字情報を削除することも可能である。特に、文字情報Ｔを編集した場合には、その変更に対応して２次元コードＱＲも自動的に変更されるよう処理形態が設定されている。尚、このプリントイメージ画面Ｗ４では画面中に直接カーソルをセットして編集を行えるよう構成しているが、文字情報Ｔを編集する際には、前記情報入力画面Ｗ２を再度表示し、この情報入力画面Ｗ２において再入力を行うよう処理形態を設定しても良い。
【００３９】
このような操作の後に、プリントイメージ画面Ｗ４の画面中の「ＯＫ」ボタンＢ１を操作することにより処理が完了してプリント処理が実行され（＃０７〜＃０９ステップ）、戻るボタンＢ３を操作することにより直前の処理に戻るのである。
【００４０】
以上のようにフローチャートに基づいて説明した処理において情報処理の流れを図９のように表すことが可能である。つまり、レイアウトサンプル画面Ｗ１から取得したレイアウト情報がレイアウト処理手段２５にセットされる。また、入力手段３１としての情報入力画面Ｗ２に入力された情報が文字イメージ化された後に、レイアウト処理手段２５を介して文字情報ＴのイメージとしてレイヤＬ１に展開される。
【００４１】
前記入力手段３１としての情報入力画面Ｗ２に入力された情報は、変換手段３２において２次元コード化すべきフィールドの情報が抽出された後に、デリミッタとして機能する情報を付加する処理が行われることにより、情報が付加されたフォーマットの文書情報に変換される。この後に、コード生成手段３３が文書情報からキャリア情報に基づいて２次元コードＱＲを生成し、キャリア情報に基づいて付与手段３４がキャリア情報４５を生成して付加する処理を行い、これら２次元コードＱＲとキャリア情報４５とはレイアウト処理手段２５を介して２次元コードＱＲのイメージと、キャリア情報４５のイメージとしてレイヤＬ２に展開されるのである。同図に示すようにキャリア情報４５が通信キャリアの会社名を用いているが、会社のロゴマークや、会社をイメージさせる記号であっても良い。
【００４２】
更に、顔画編集画面Ｗ３を介して取得した顔画像ＦＰはレイアウト処理手段２５を介して顔画像ＦＰのイメージとしてレイヤＬ３に展開される。そして、前記プリントイメージ画面Ｗ４では前記レイヤＬ１、Ｌ２、Ｌ３を重ね合わせる形態で合成処理を行い、この合成状態をディスプレイ３を介してオペレータが確認できるのである。
【００４３】
前述した処理によってプリントされた名刺には２次元コードＱＲがプリントされているので、この名刺にプリントされている個人の名前と、電話番号やメールアドレス（電子メール）等の情報を携帯電話機Ｈのアドレス帳に保存する場合には、その携帯電話機Ｈの通信キャリアと適合する２次元コードＱＲであることをキャリア情報４５で確認した後、その２次元コードＱＲを携帯電話機ＨのカメラＣａｍで撮影するだけで、人為的に携帯電話機Ｈのキーを操作して入力する手間を掛けずとも必要な情報を確実にアドレス帳に保存できるものとなる。
【００４４】
また、このプリント装置では、通信キャリアの携帯電話機Ｈで撮影した２次元コードＱＲから情報を取得するための文書情報のフォーマットが変更された場合や、新たに設立された通信キャリアの携帯電話機Ｈで情報を取得可能となるフォーマットの文書情報を作り出すために、プロパティ名編集機能を具備している。つまり、このプロパティ名編集機能は前記プロパティ名編集手段２６によって実現するものであり、所定の操作を行うことにより、図１１に示すように、プロパティ名編集画面Ｗ５が表示され、この表示画面において各フィールド４６に対応した入力部Ｓに対してフィールド名を入力し、保存ボタンＢ４を操作することによって、プロパティ名が新たに保存されるのである。
【００４５】
このように、本発明によると、名刺や転居案内のハガキ等を作成する際には、情報入力画面Ｗ２に対して企業名や個人の名前等の名称情報と、所在地や住所や電話番号やメールアドレス等の連絡先情報等を入力し、通信キャリアを指定し（複数指定しても良い）、必要な操作を行うことより、入力された情報が文字情報Ｔとしてプリントされると同時に、入力された情報に基づいて通信キャリアに対応した２次元コードＱＲと通信キャリアを判別するキャリア情報４５がプリントされる。そして、このように２次元コードがプリントされた名刺や転居案内のハガキ等を受け取った者は、キャリア情報４５に基づいて通信キャリアを判別し、その通信キャリアに対応した携帯電話機Ｈに具備した機能を有効に活用して、名前や電話番号等をアドレス帳に登録できるのである。また、本発明では、複数の通信キャリアに対応して複数の２次元コードＱＲをプリントできるので、特定に通信キャリアに限らず、複数の通信キャリアの携帯電話機Ｈで情報を取得することが可能な名刺やカードを作成できるものとなっている。
【００４６】
〔別実施の形態〕
本発明は、上記した実施の形態以外に以下のように構成しても良い。
【００４７】
（イ）２次元コードＱＲに対して通信キャリアを識別するためのキャリア情報４５を付加することに代えて、通信キャリアを識別させるために、通信キャリア毎に予め設定された色相で２次元コードＱＲをプリントする。
【００４８】
（ロ）名称情報や連絡先情報の全てを文字のイメージとしてプリントするものに代えて、例えば、予め設定された識別コードや顔画像をプリントしたカード類に２次元コードＱＲだけをプリントする。このような形態で２次元コードＱＲをプリントするものは、例えば、関係者以外に電話番号やメールアドレスを知られたくない場合に有効に用いることができる。
【図面の簡単な説明】
【００４９】
【図１】プリント装置の全体を示す斜視図
【図２】名刺の２次元コードを撮影する携帯電話機を示す斜視図
【図３】プリント装置の制御系のブロック回路図
【図４】名刺プリントルーチンのフローチャート
【図５】レイアウトサンプル画面を示す図
【図６】情報入力画面を示す図
【図７】顔編集画面を示す図
【図８】プリントイメージ画面を示す図
【図９】処理における情報の流れを示す図
【図１０】２次元コード化するデータ構造を通信キャリア毎に示した図
【図１１】プロパティ編集画面を示す図
【符号の説明】
【００５０】
３            ディスプレイ
４            情報処理部
２５          レイアウト処理手段
３２          変換手段
３３          コード生成手段
３４          付与手段
３６          通信キャリアのチェック部
Ｂ            プリント部
Ｈ            携帯電話機
Ｐ            プリント媒体
Ｓ            入力部
ＱＲ          ２次元コード
【図１】
2005231287.tif 000003
【図２】
2005231287.tif 000004
【図３】
2005231287.tif 000005
【図４】
2005231287.tif 000006
【図５】
2005231287.tif 000007
【図６】
2005231287.tif 000008
【図７】
2005231287.tif 000009
【図８】
2005231287.tif 000010
【図９】
2005231287.tif 000011
【図１０】
2005231287.tif 000012
【図１１】
2005231287.tif 000013